【手続補正書】
【提出日】平成28年10月4日(2016.10.4)
【手続補正１】
【補正対象書類名】特許請求の範囲
【補正対象項目名】全文
【補正方法】変更
【補正の内容】
【特許請求の範囲】
【請求項１】
充電回路であって、前記充電回路は下記を備える、
外部のデバイスへ接続するための入力端子と、
電池への接続のための出力端子と、
前記入力端子と前記出力端子との間に接続されたスイッチング回路と、
前記入力端子に接続された切り替え可能な負荷と、
前記切り替え可能な負荷に接続された電圧センサと、
前記スイッチング回路を選択的にイネーブルおよびディスエーブルにするように、および、前記切り替え可能な負荷を選択的に動作させるように接続されたコントローラ、
ここにおいて、前記コントローラは、
前記スイッチング回路をイネーブルにすることに続く時点において、前記スイッチング回路をディスエーブルにし、
前記切り替え可能な負荷を、前記負荷が前記入力端子に接続される接続状態へと動作させ、
ここにおいて、前記電圧センサは、前記負荷における前記電圧の測定値を取得し、前記制御回路は、前記測定値が所定の値を超える場合に前記スイッチング回路をイネーブルにする。
【請求項２】
前記入力端子と前記スイッチング回路との間に接続されたスイッチをさらに備え、ここにおいて、前記切り替え可能な負荷が前記接続状態にあるときに、前記スイッチが開かれ、それにより前記スイッチング回路から前記入力端子を切り離する、請求項１に記載の回路。
【請求項３】
前記切り替え可能な負荷は、電子デバイスと直列接続であるスイッチを備える、請求項１に記載の回路。
【請求項４】
前記電子デバイスは、抵抗器である、請求項３に記載の回路。
【請求項５】
前記電子デバイスは、電流シンクである、請求項３に記載の回路。
【請求項６】
前記スイッチング回路は、降圧コンバータを備える、請求項１に記載の回路。
【請求項７】
前記コントローラは、前記コントローラが前記スイッチング回路をイネーブルにした後に１つ以上の所定の条件が生じたときに前記スイッチング回路をディスエーブルにする、請求項１に記載の回路。
【請求項８】
前記コントローラは、前記コントローラが前記スイッチング回路をイネーブルにした後に所定の時間が経過したときに前記スイッチング回路をディスエーブルにする、請求項１に記載の回路。
【請求項９】
電池充電回路における方法であって、
前記電池充電回路の入力に接続された外部の電源からスイッチング回路の出力に接続された電池に電力を送るように前記スイッチング回路の動作をイネーブルにすることと、
第１の所定の時間の期間の経過後に、
前記スイッチング回路の動作をディスエーブルにすることと、
前記電池充電回路の前記入力を第２の所定の時間の期間のあいだ負荷を介して接地することと、
前記電池充電回路の前記入力の電圧が、前記第２の所定の時間の期間のあいだに所定の値の下に低下する場合に、前記スイッチング回路の動作をディスエーブルされたままにすることと、
前記電池充電回路の前記入力の電圧が、前記第２の所定の時間の期間のあいだに前記所定の値の下に低下しない場合に、前記スイッチング回路の動作を再びイネーブルにすることと、
を備える、方法。
【請求項１０】
前記電池充電回路の前記入力を接地することは、前記入力を前記スイッチング回路から電気的に絶縁することを含む、請求項９に記載の方法。
【請求項１１】
前記スイッチング回路は、降圧コンバータを備える、請求項９に記載の方法。
【請求項１２】
前記ディスエーブルにすることと接地することは、所定の回路の条件が満たされた場合に限って実行される、請求項９に記載の方法。
【請求項１３】
メモリから第１のタイマー値を取得し、前記第１の所定の時間の期間に関する基準として第１のタイマー回路を開始させる、請求項９に記載の方法。
【請求項１４】
前記メモリから第２のタイマー値を取得し、前記第２の所定の時間の期間に関する基準として第２のタイマー回路を開始させる、請求項１３に記載の方法。
【手続補正２】
【補正対象書類名】明細書
【補正対象項目名】００４２
【補正方法】変更
【補正の内容】
【００４２】
[0044]以上の説明は、本発明の種々の実施形態を、どのように個々の実施形態の態様が実現され得るのかについての例とともに示している。上述の例を、唯一の実施形態と理解してはならず、上述の例は、以下の特許請求の範囲によって定められる個々の実施形態の柔軟性および利点を説明するために提示されている。以上の開示および以下の特許請求の範囲に基づき、他の配置、実施形態、実施例、および均等物が、特許請求の範囲によって定められる本発明の技術的範囲から離れることなく、使用されることができる。
以下に本願の出願当初の特許請求の範囲に記載された発明を付記する。
[Ｃ１]  充電回路における方法であって、
入力端子において受けた電力を出力端子に送るようにスイッチング回路をイネーブルにすることと、
前記スイッチング回路をイネーブルにすることに続く時点において、前記スイッチング回路をディスエーブルにすることと、
持続時間のあいだ前記入力端子に負荷を接続することと、
前記負荷が前記入力端子に接続されている間に前記入力端子における電圧レベルを検出することと、
前記電圧レベルが所定の値を超える場合に、前記スイッチング回路をイネーブルにすることと、
を備える、方法。
[Ｃ２]  前記負荷を前記入力端子に接続することは、前記入力端子を前記スイッチング回路から切り離すことを含む、Ｃ１に記載の方法。
[Ｃ３]  １つ以上の所定の条件の発生を確認すること、該確認することに応答して、前記スイッチング回路を前記第１の持続時間のあいだディスエーブルにすることをさらに備える、Ｃ１に記載の方法。
[Ｃ４]  １つ以上の所定の条件の発生前に所定の時間のあいだ遅延することをさらに備える、Ｃ３に記載の方法。
[Ｃ５]  前記スイッチング回路をイネーブルにした後に所定の時間が経過したとき、前記スイッチング回路をディスエーブルにすることをさらに備える、Ｃ１に記載の方法。
[Ｃ６]  前記入力端子に接続された外部のデバイスから電力を受けることをさらに備える、Ｃ１に記載の方法。
[Ｃ７]  前記入力端子において受けた前記電力を使用して前記出力端子に接続された電池を充電することをさらに備える、Ｃ１に記載の方法。
[Ｃ８]  充電回路であって、前記充電回路は下記を備える、
外部のデバイスへの接続するための入力端子と、
電池への接続のための出力端子と、
前記入力端子と前記出力端子との間に接続されたスイッチング回路と、
前記入力端子に接続された切り替え可能な負荷と、
前記切り替え可能な負荷に接続された電圧センサと、
前記スイッチング回路を選択的にイネーブルおよびディスエーブルにするように、および、前記切り替え可能な負荷を選択的に動作させるように接続されたコントローラ、
ここにおいて、前記コントローラは、
前記スイッチング回路をイネーブルにすることに続く時点において、前記スイッチング回路をディスエーブルし、
前記切り替え可能な負荷を前記入力端子に接続されるところの接続状態へと動作させ、
ここにおいて、前記電圧センサは、前記負荷における前記電圧の測定値を取得し、前記制御回路は、前記測定値が所定の値を超える場合に前記スイッチング回路をイネーブルにする。
[Ｃ９]  前記入力端子と前記スイッチング回路との間に接続されたスイッチをさらに備え、ここにおいて、前記スイッチング回路から前記入力端子を切り離すことによって前記切り替え可能な負荷が前記接続状態にあるときに、前記スイッチが開かれる、Ｃ８に記載の回路。
[Ｃ１０]  前記切り替え可能な負荷は、電子デバイスと直列接続であるスイッチを備える、Ｃ８に記載の回路。
[Ｃ１１]  前記電子デバイスは、抵抗器である、Ｃ１０に記載の回路。
[Ｃ１２]  前記電子デバイスは、電流シンクである、Ｃ１０に記載の回路。
[Ｃ１３]  前記スイッチング回路は、降圧コンバータを備える、Ｃ８に記載の回路。
[Ｃ１４]  前記コントローラは、前記コントローラが前記スイッチング回路をイネーブルにした後に１つ以上の所定の条件が生じたときに前記スイッチング回路をディスエーブルにする、Ｃ８に記載の回路。
[Ｃ１５]  前記コントローラは、前記コントローラが前記スイッチング回路をイネーブルにした後に所定の時間が経過した場合に前記スイッチング回路を無効にする、Ｃ８に記載の回路。
[Ｃ１６]  電池充電回路における方法であって、
前記電池充電回路の入力に接続された外部の電源からスイッチング回路の出力に接続された電池に電力を送るように前記スイッチング回路の動作をイネーブルにすることと、
第１の所定の時間の経過後に、
前記スイッチング回路の動作をディスエーブルにし、前記電池充電回路の前記入力を第２の所定の時間のあいだ負荷を介して接地することと、
前記電池充電回路の前記入力の電圧が、前記第２の所定の時間の間に所定の値の下に低下する場合に、前記スイッチング回路の動作をディスエーブされたままにすることと、
前記電池充電回路の前記入力の電圧が、前記第２の所定の時間の間に前記所定の値の下に低下しない場合に、前記スイッチング回路の動作を再びイネーブルにすることと、
を備える、方法。
[Ｃ１７]  前記電池充電回路の前記入力を接地することは、前記入力を前記スイッチング回路から電気的に絶縁することを含む、Ｃ１６に記載の方法。
[Ｃ１８]  前記スイッチング回路は、降圧コンバータを備える、Ｃ１６に記載の方法。
[Ｃ１９]  前記ディスエーブルにし接地することは、所定の回路の条件が満たされた場合に限って実行される、Ｃ１６に記載の方法。
[Ｃ２０]  メモリから第１のタイマー値を取得し、前記第１の所定の時間の期間に関する基準として第１のタイマー回路を開始させる、Ｃ１６に記載の方法。
[Ｃ２１]  前記メモリから第２のタイマー値を取得し、前記第２の所定の時間期間に関する基準として第２のタイマー回路を開始させる、Ｃ２０に記載の方法。